(57)【要約】【課題】充分な強度、美観、および安全性を達成することができる網戸構造を提供する。【解決手段】本発明の網戸構造Ａは、耐食性金網例えばステンレス製金網２の周縁部分と係合する網縁押さえ部材１１と、該網縁押さえ部材１１が嵌装される戸枠１内周の各辺の全長に亘って形成された嵌装部１２と、該嵌装部１２を覆う化粧カバー１３とを備え、前記化粧カバー１３の外面１３ｈがフラットとされ、その外面１３ｈが前記戸枠１の側面１ｆより突出させられてなることを特徴とするもので、化粧カバー１３が例えば戸枠１の側面との接着面を有しているものとされる。【選択図】  図１
2004156251.tif 000002
【特許請求の範囲】
【請求項１】
耐食性金網の周縁部分と係合する網縁押さえ部材と、該網縁押さえ部材が嵌装される戸枠内周の各辺の全長に亘って形成された嵌装部と、該嵌装部を覆う化粧カバーとを備え、
前記化粧カバーの外面がフラットとされ、その外面が前記戸枠の側面より突出させられてなることを特徴とする網戸構造。
【請求項２】
化粧カバーが戸枠の側面との接着面を有してなることを特徴とする請求項１記載の網戸構造。
【請求項３】
化粧カバーが嵌装部を画成している第２板材との載置部を有してなることを特徴とする請求項１記載の網戸構造。
【請求項４】
化粧カバーが、ずれを防止する段を有してなることを特徴とする請求項３記載の網戸構造。
【請求項５】
請求項１ないし請求項４のいずれか一項に記載の網戸構造を備えてなることを特徴とする網戸。
【発明の詳細な説明】
【０００１】
【発明の属する技術分野】
本発明は網戸構造に関する。さらに詳しくは、例えばアルミサッシ戸枠にステンレス製金網などの耐食性金網を張設してなる網戸構造に関する。
【０００２】
【従来の技術】
近年、防虫網戸としてステンレス製金網を備えてなるステンレス網戸が、その機能性および耐久性の点で注目を集めるようになってきている。
【０００３】
すなわち、ステンレス網戸は樹脂網を用いた樹脂網戸と比較して防火性が各段に高く、また堅牢で樹脂網におけるような経年劣化（素材の硬化、脆性増大）もないため、樹脂網戸よりも寿命が遙かに長い。このため、通常１０年、２０年の寿命を有する本体のガラス戸と同程度のスパンで交換等の保守を行えば足りるからである。
【０００４】
特にアルミサッシ網戸の場合、網が壊れると網だけを張り替えるのではなくフレームごと取り替えることが多い。したがって、耐久性の高いステンレス製網を用いることによってフレームの耐久性を最大限に生かすことが可能となる。
【０００５】
一方、ステンレス網は、素材の硬度が高く切断等の加工がそれほど容易ではない。このため、切口端面が外部に露出しないように処理することも樹脂網のようには容易ではなく、処理が不十分であると針金が多数突き出した切り口端面に人が触れて負傷するといった危険もある。
【０００６】
このようなステンレス網戸の不都合に対処するために、特開昭５９−１４５８９１号公報において下記構成のステンレス製金網の取付構造が提案されている（さらに、実開昭５５−９６３００号公報参照）。
【０００７】
図７に示すように、前記提案に係る取付構造１００は、アルミサッシ戸枠１０１の内周側に網押さえ嵌装部１０２を設け、金網１０３を張るようにしながら網押さえ部材１０４を金網１０３とともに嵌装部１０２に嵌装し、適当な位置で切断した金網１０３の余分な周縁端部１０３ａを内部に収納するようにしてカバー１０５を網縁押さえ部材１０４に取り付けるものとされる。
【０００８】
かかる取付構造１００においては、金網の端面処理自体は簡易化されるが、部品点数が増加するためコストおよび工数が増大する（また、一般的な網戸の枠取付構造として、実開昭５５−１０７５９７号公報、実開昭５５−１４５６８８号公報および実開昭６３−１１９７号公報等参照）。
【０００９】
【発明が解決しようとする課題】
本発明はかかる従来技術の課題に鑑みなされたものであって、充分な強度、美観、および安全性を達成することができる網戸構造を提供することを目的としている。
【００１０】
【課題を解決するための手段】
本発明の網戸構造は、耐食性金網の周縁部分と係合する網縁押さえ部材と、該網縁押さえ部材が嵌装される戸枠内周の各辺の全長に亘って形成された嵌装部と、該嵌装部を覆う化粧カバーとを備え、前記化粧カバーの外面がフラットとされ、その外面が前記戸枠の側面より突出させられてなることを特徴とする。
【００１１】
本発明の網戸構造においては、化粧カバーが戸枠の側面との接着面を有しているのが好ましい。
【００１２】
また、本発明の網戸構造においては、化粧カバーが嵌装部を画成している第２板材との載置部を有してなるのが好ましい。その場合、化粧カバーがずれを防止する段を有してなるのがさらに好ましい。
【００１３】
しかして、本発明の網戸構造は網戸に備えられる。
【００１４】
【作用】
本発明の網戸構造は、前記の如く構成されているので、耐食性金網端部の仕舞込み部における美観を損なうことなく充分な強度および安全性を達成することができる。また、化粧カバーが枠の側面より突出させられているので、網戸を積層して保管や搬送する場合に、緩衝材を特段にかませる必要がなく作業能率が向上する。
【００１５】
【発明の実施の形態】
以下、添付図面を参照しながら本発明を実施形態に基づいて説明するが、本発明はかかる実施形態のみに限定されるものではない。
【００１６】
実施形態１
図１に、本発明の実施形態１に係る網戸構造の一断面を示し、この網戸構造Ａは、全体は図示しないアルミサッシ戸枠（以下単に枠という）１に、ステンレス製金網（以下単に網という）２を張設するよう網２を枠１に取り付けてなる網戸構造とされる。なお、図１においては、図示しない窓枠上辺のレールと係合するガイド１ａが枠１の外周側に形成されている。
【００１７】
網戸構造Ａは、より具体的には、網２の周縁部分と係合する網縁押さえ部材１１と、網縁押さえ部材１１が網２の周縁部分と係合した状態で嵌装される、枠１１の内周各辺の全長に亘って形成される網縁押さえ嵌装部（以下、単に嵌装部という）１２と、網縁押さえ部材１１が嵌装部１２から外れないように押圧するとともに、網２の切口端面が外部に露出しないように嵌装部１２を覆う化粧カバー１３とを備えてなるものとされる。
【００１８】
網縁押さえ部材１１は、枠１の内周各辺の全長に亘って嵌装部１２に嵌装される細い丸棒状の弾性材からなり、網２の周縁部分が周囲に半巻された状態で網２と係合するものとされる。
【００１９】
嵌装部１２は、枠１の内周壁１ｂ、内周壁１ｂに垂直に立設される板材（以下、第１板材という）１ｃおよび内周壁１ｂと平行かつ第１板材１ｃに垂直に立設される板材（以下、第２板材という）１ｄにより、概略正方形断面形状の溝を画成するようにして構成されている。
【００２０】
また、嵌装部１２の開口は、約４分の１程度の幅が第２板材１ｄの先端から枠１の内周壁１ｂ側に向かって突設される突条１ｅによって塞がれており、網縁押さえ部材１１が嵌装部１２に嵌装された状態で、突条１ｅ先端が網２を間に挟んで網縁押さえ部材１１と当接している。
【００２１】
次に、図２を参照して化粧カバー（以下、カバーという）１３を説明する。
【００２２】
カバー１３は、図２に示すように、下側の横線が上側の横線よりも長くされたＦ字形状断面を有する例えば樹脂製の形材とされる。すなわち、カバー１３は、Ｆ字の縦線に相当する枠１の側面１ｆとの接着面ｓを有する、外面がフラットな接着部１３ａと、Ｆ字の上側の横線に相当する第１係合部１３ｂと、Ｆ字の下側の横線に相当する第２係合部１３ｃとから構成される。
【００２３】
枠接着部１３ａは、前掲図１に示すように、第２係合部１３ｃの下面１３ｄが枠１の内周壁面１ｂと当接し、第２係合部１３ｃの頂部１３ｅが網２を間に挟んで網縁押さえ部材１１と当接し、かつ第１係合部１３ｂの頂部１３ｆが網２を間に挟んで突条１ｅと当接するように、枠１の一方の側面１ｆに接着面ｓが例えば両面テープ１４により固着されて枠１内周に沿って配設される。
【００２４】
この構成によって、カバー１３と枠１との接着面の面積を充分に大きくとることができるため、両面テープ１４を用いて充分な強度でカバー１３を枠１に接着することが可能となる。ここで、両面テープ１４として、例えば日東電工株式会社製  ＮＲ−６Ｂ（商品名）を用いれば、１０年程度の耐用年数に亘って充分な接着強度維持することが可能である。
【００２５】
また、カバー１３を枠１に組み付けたときの突出寸法は枠接着部１３ａの板厚程度であるため、網取付部分の化粧をコンパクトになすことができる。
【００２６】
次に、図３および図４を参照して、枠１に網２を取り付ける具体的な手順を説明する。
【００２７】
（１）網２の張りを保ちながら嵌装部１２に網縁押さえ部材１１を網２を押し込みながら圧入する。
【００２８】
（２）金属網切断用のハサミなどを用いて適当な位置Ｐで網２を切断する（図３参照）。
【００２９】
（３）切断した網２端部を網縁押さえ部材１１に巻きつ付けるようにして嵌装部１２に仕舞込む（図４参照）。
【００３０】
（４）化粧カバー１３の第１係合部１３ｂおよび第２係合部１３ｃを嵌装部１２に嵌合させるともに、接着面ｓを枠１の側面１ｆに両面テープで１４により接着する（図４参照）。これにより、網２の枠１への取り付けが完了する。
【００３１】
このように、実施形態１の網戸構造Ａにおいては、枠１との間の充分な接着面積を確保することが可能でありかつコンパクトな形状の化粧カバー１３を例えば両面テープ１４により枠１に接着するようにして、網２の取付部分および切り口端面を覆うものとされるので、極めて簡易に充分な強度、美観、安全性を有する網取付部における化粧をなすことが可能となる。
【００３２】
また、化粧カバー１３の第１係合部１３ｂおよび第２係合部１３ｃが網２および網縁押さえ部材１１を押圧するので網２の取付強度が向上する。
【００３３】
さらに、化粧カバー１３の接着部１３ａは、外面がフラットとされるとともに接着面ｓが枠１の側面１ｆと接着させられることにより、その外面が側面１ｆより突出させられているので、網戸を積層して保管や搬送する場合に、緩衝材を特段にかませる必要がなく作業能率が向上する。
【００３４】
実施形態２
図５に、本発明の実施形態２に係る網戸構造を示し、この網戸構造Ａ１は、実施形態１の化粧カバー１３を改変してなるもので、その余の構成は実施形態１と同様とされる。以下、実施形態１と異なる部分のみを説明する。
【００３５】
網戸構造Ａ１のカバー１３Ａは、一側端が厚肉とされた平板状の樹脂製形材とされ、厚肉側の側端面１３ｇを枠１の内周面１ｂと当接させかつ他側端を嵌装部１２を画成している第２板材１ｄに載置させた姿勢で、両面テープ１４Ａにより嵌装部１２内部の網２と接着されるようにして、枠１に取り付けられるものとされる。つまり、他側端は第２板材への載置部とされる。
【００３６】
また、カバー１３Ａは、枠１に取り付けられた状態で、フラットとされた外面１３ｈが枠１の側面１ｆより若干突出するようにその厚みが調整されている。
【００３７】
この構成においても、両面テープ１４Ａとして実施形態１におけるよりもさらに強力な接着力を有するものを選定することによって、さらなるコンパクト化を図りつつ、充分な強度でカバー１３を枠１に取り付けることが可能となる。
【００３８】
また、カバー１３Ａのフラットとされた外面１３ｈが枠１の側面１ｆより若干突出するようにその厚みが調整されているので、網戸を積層して保管や搬送する場合に、緩衝材を特段にかませる必要がなく作業能率が向上する。
【００３９】
実施形態３
本発明の実施形態３に係る網戸構造を示し、この網戸構造Ａ２は、実施形態２の化粧カバー１３Ａを改変してなるもので、その余の構成および作用・効果は実施形態２と同様とされる。以下、実施形態２と異なる部分のみを説明する。
【００４０】
化粧カバー１３Ｂは、図６に示すように、一側端の肉厚部分１３ｇを枠１の内周壁１ｂと網縁押さえ部材１１との間に差し込めるように鋭角的に尖らせた角部１３ｉを設けるとともに、ずれを防止するように突条１ｅとの当接位置に段１３ｋを設けてなるものとされる。
【００４１】
この構成によって、化粧カバー１３Ｂの枠１への取り付けが一層容易となる。
【００４２】
以上、本発明を実施形態に基づいて説明してきたが、本発明はかかる実施形態のみに限定されるものではなく、種々改変が可能である。例えば、実施形態では化粧カバー１３の取り付けは両面テープ１４によりなされているが、接着剤により取り付けることもできる。また、化粧カバー１３外面に模様を付したり、枠１と色彩を異にすることによって、意匠効果を高めることもできる。さらに、実施形態では金網はステンレス製金網とされているが、金網はステンレス製金網に限定されるものではなく、各種の耐食性金網とすることができる。
【００４３】
【発明の効果】
以上詳述したように、本発明の網戸構造によれば、網仕舞込み部における美観を損なうことなく充分な強度および安全性を達成することができるという優れた効果が得られる。
【００４４】
また、化粧カバーが枠の側面より突出させられているので、網戸を積層して保管や搬送する場合に、緩衝材を特段にかませる必要がなく作業能率が向上するという優れた効果も得られる。
【図面の簡単な説明】
【図１】本発明の実施形態１に係る金網の枠網戸構造の概略構成を示す一部断面図である。
【図２】同網戸構造に用いられる化粧カバーの形状を示す断面図である。
【図３】金網を枠に取り付ける手順を示す模式図であって、網の切断前の状態を示す。
【図４】金網を枠に取り付ける手順を示す模式図であって、化粧カバーを装着した状態を示す。
【図５】本発明の実施形態２に係る金網の枠網戸構造の概略構成を示す一部断面図である。
【図６】本発明の実施形態３に係る金網の枠網戸構造の概略構成を示す一部断面図である。
【図７】従来の網戸構造の一例を示す断面図である。
【符号の説明】
Ａ        網戸構造
１        アルミサッシ戸枠
２        金網
１１        網縁押さえ部材
１２        網縁押さえ嵌装部
１３        化粧カバー
１４        両面テープ
【図１】
2004156251.tif 000003
【図２】
2004156251.tif 000004
【図３】
2004156251.tif 000005
【図４】
2004156251.tif 000006
【図５】
2004156251.tif 000007
【図６】
2004156251.tif 000008
【図７】
2004156251.tif 000009